(57)【要約】      （修正有）【課題】ベッド数が増加してもボードを増設する必要がなく患者情報の一覧を省スペースで表示できるボード型ナースコール親機、及びその親機を含むナースコールシステムを提供する。【解決手段】患者毎の患者情報を枠内に表示した患者情報表示枠Ｐの一覧を表示する一覧表示部Ｅ１を有し、患者情報表示枠Ｐは氏名、場所や状況を把握するための情報に加えて、ナースコール子機からの呼出発生を通知するための通知灯を一体に配置して構成され、一覧表示部Ｅ１が画像で各種情報を表示する大型モニタ３１であり、患者情報及び複数種類の患者情報表示枠Ｐを記憶する情報記憶部を備え、親機ＣＰＵにより表示する患者数に合わせて適切な大きさの患者情報表示枠Ｐが選択され、一覧表示部Ｅ１の略全体を使用して全ての患者の患者情報表示枠Ｐが一覧表示される。【選択図】図３
2014103661.tif 000002
【特許請求の範囲】
【請求項１】
ベッド毎に設置されたナースコール子機の呼出操作を受けて、ナースステーションにおいて看護師が応答するための通話部を備えたボード型ナースコール親機において、
患者毎の患者情報を表示した患者情報表示枠の一覧を表示する一覧表示部を有し、
前記患者情報表示枠は、氏名、場所や状況を把握するための情報に加えて、前記ナースコール子機からの呼出発生を通知するための通知灯を一体に配置して構成され、
前記一覧表示部が、画像で各種情報を表示する第１ディスプレイであって、患者情報を記憶する患者情報記憶部と、前記第１ディスプレイの表示を制御する表示制御部とを備え、
前記表示制御部は、表示する患者数に応じて前記患者情報表示枠の大きさを変更し、前記一覧表示部の略全体を使用して看護対象の全ての患者の前記患者情報表示枠を一覧表示させることを特徴とするボード型ナースコール親機。
【請求項２】
複数サイズの前記患者情報表示枠を記憶する表示枠記憶部を有すると共に、記憶された前記患者情報表示枠は、大きさに比例して表示される患者情報量が増減されて成り、
前記表示制御部は、全患者を前記第１ディスプレイに表示可能なサイズの患者情報表示枠を前記表示枠記憶部から選択し、選択した前記患者情報表示枠を使用して患者情報表示枠の一覧を作成することを特徴とする請求項１記載のボード型ナースコール親機。
【請求項３】
前記患者情報表示枠には、少なくとも患者氏名、前記通知灯、及びベッド番号が表示されることを特徴とする請求項１又は２記載のボード型ナースコール親機。
【請求項４】
ベッド毎に設置されたナースコール子機の呼出操作を受けて、ナースステーションにおいて看護師が応答するための通話部を備えたボード型ナースコール親機において、
患者毎の患者情報が表示された患者情報表示枠の一覧を表示する一覧表示部を有し、
前記患者情報表示枠は、氏名、場所や状況を把握するための情報に加えて、前記ナースコール子機からの呼出発生を通知するための通知灯を一体に配置して構成され、
前記一覧表示部が、画像で各種情報を表示する第１ディスプレイであり、患者情報を記憶する患者情報記憶部と、前記第１ディスプレイの表示を切り替える切替操作部と、前記第１ディスプレイの表示を制御する表示制御部とを備え、
前記表示制御部は、前記第１ディスプレイに人数を制限した所定人数の前記患者情報表示枠の一覧を表示し、前記切替操作部の操作により表示する前記患者情報表示枠一覧のページを切り替えることで、看護対象である患者全ての前記患者情報表示枠を表示できることを特徴とするボード型ナースコール親機。
【請求項５】
前記第１ディスプレイ上に当該第１ディスプレイの表示を変更操作する第１タッチパネルを備えると共に、病棟レイアウト上の病室毎のベッドの実際の配置を記憶した病室レイアウトを記憶するレイアウト記憶部を有し、
前記表示制御部は、前記第１タッチパネルの所定の操作を受けて前記第１ディスプレイに前記病室レイアウトを表示すると共に、当該病室レイアウトの大きさに合わせて前記患者情報表示枠を表示して前記患者情報表示枠の一覧を表示させることを特徴とする請求項１乃至４の何れかに記載のボード型ナースコール親機。
【請求項６】
前記通話部の近傍に第２ディスプレイを配置し、
前記表示制御部は、前記ナースコール子機から呼出信号を受けて、呼出元の病室番号及び患者氏名、更に呼出種別情報を前記第２ディスプレイに表示させることを特徴とする請求項１乃至５の何れかに記載のボード型ナースコール親機。
【請求項７】
任意の前記患者情報表示枠の内部に表示される患者氏名を非表示とする患者名非表示設定部を有し、
前記表示制御部は、前記一覧表示部に表示された前記患者情報表示枠のうち、患者名非表示設定された患者情報表示枠に対して氏名を表示しないことを特徴とする請求項１乃至６の何れかに記載のボード型ナースコール親機。
【請求項８】
ベッド毎に設置されて患者が看護師を呼び出すためのナースコール子機と、ナースステーションに設置されて患者からの前記呼び出しに応答するためのナースコール親機とを備えたナースコールシステムにおいて、
前記ナースコール親機が請求項１乃至７の何れかに記載のボード型ナースコール親機であると共に、ベッド上の患者を撮像するカメラを備え、
前記ボード型ナースコール親機は、更に前記第１ディスプレイに映像を表示させる映像表示制御部と、前記カメラと患者の関係を記憶するカメラ位置情報記憶部とを有し、
前記映像表示制御部は、前記第１タッチパネルの所定の操作で前記カメラを選択して撮像を開始させ、撮像映像を前記第１ディスプレイの所定の映像表示部に表示させると共に、前記表示制御部は関連する患者情報を合わせて前記映像表示部の近傍に表示させることを特徴とするナースコールシステム。
【請求項９】
前記ボード型ナースコール親機は、任意の患者の撮像映像を非表示とする映像非表示設定部を有し、
前記表示制御部は、前記カメラが撮像を開始した患者が映像非表示設定された患者である場合は前記映像表示部に映像を表示しないことを特徴とする請求項８記載のナースコールシステム。
【発明の詳細な説明】
【技術分野】
【０００１】
本発明はナースコールシステムに関し、特にナースステーションに設置されるボード型ナースコール親機に関する。
【背景技術】
【０００２】
ナースコールシステムは、ベッド毎に設置されて患者が看護師を呼ぶためのナースコール子機と、ナースステーションに設置されて患者からの呼び出しに応答するためのナースコール親機とを備えている。
ナースコール親機は、患者名一覧がボード上に表示され、個々の患者名の表示に合わせて患者の救護区分や診療科目、更には呼び出しを発光通知する通知部等を備えたエスカッションと称される患者情報の一覧が表示されるボードと、患者からの呼び出しに応答するための通話部とを備えたボード型親機に加えて、各種設定を行い情報を表示するパーソナルコンピュータから成るＰＣ親機を備えたものが普及している（例えば、特許文献１参照）。
【先行技術文献】
【特許文献】
【０００３】
【特許文献１】特開２００５−３４９０２０号公報
【発明の概要】
【発明が解決しようとする課題】
【０００４】
ボード型親機は、入院患者に関する情報がボードに一覧表示されているため、入院患者全体を把握し易いし、呼出元の患者を認識し易かった。また、壁面に設置できることで大きな設置スペースを必要とせず、都合が良かった。
しかしながら、患者情報の一覧を表示するボードは、ベッド数に合わせた数だけ表示部が必要であるため、病棟の拡張等でベッド数が多くなるとボードを追加して対応していた。例えば、１ボードあたり患者２０名（ベッド２０床）を一覧表示する構成が一般的であり、２０名を超えるとボードの追加が必要であり、ボード型親機の設置スペースが患者数に比例して大きくなっていた。
また、上述したように、ベッド数が２１床（患者が２１人）の場合は、２枚目のボードに表示される患者情報は１名だけであり、残り１９名分の表示エリアは、他の目的に利用し辛くボードの空きエリアを有効に利用できてはいなかった。
【０００５】
そこで、本発明はこのような問題点に鑑み、ベッド数が増加してもボードを増設する必要がなく患者情報の一覧を省スペースで表示できるボード型ナースコール親機、及びその親機を備えたナースコールシステムを提供することを目的としている。
【課題を解決するための手段】
【０００６】
上記課題を解決する為に、請求項１の発明は、ベッド毎に設置されたナースコール子機の呼出操作を受けて、ナースステーションにおいて看護師が応答するための通話部を備えたボード型ナースコール親機において、患者毎の患者情報を表示した患者情報表示枠の一覧を表示する一覧表示部を有し、患者情報表示枠は、氏名、場所や状況を把握するための情報に加えて、ナースコール子機からの呼出発生を通知するための通知灯を一体に配置して構成され、一覧表示部が、画像で各種情報を表示する第１ディスプレイであって、患者情報を記憶する患者情報記憶部と、第１ディスプレイの表示を制御する表示制御部とを備え、表示制御部は、表示する患者数に応じて患者情報表示枠の大きさを変更し、一覧表示部の略全体を使用して看護対象の全ての患者の患者情報表示枠を一覧表示させることを特徴とする。
この構成によれば、患者数に応じて患者情報表示枠の大きさを変更して表示するため、患者数に関わらず全患者の患者情報表示枠を第１ディスプレイに一覧表示でき、患者情報の一覧を省スペースで表示できる。よって、表示する患者数が増えても一覧表示部を拡張したり追加する必要がない。
尚、患者情報とは、患者氏名に加えて、病室番号及びベッド番号等の場所情報、患者の年齢、担送／護送等の救護区分、診療科目、担当医師、担当看護師、点滴の有無、術後かどうか等の情報を言う。
【０００７】
請求項２の発明は、請求項１に記載の構成において、複数サイズの患者情報表示枠を記憶する表示枠記憶部を有すると共に、記憶された患者情報表示枠は、大きさに比例して表示される患者情報量が増減されて成り、表示制御部は、全患者を第１ディスプレイに表示可能なサイズの患者情報表示枠を表示枠記憶部から選択し、選択した患者情報表示枠を使用して患者情報表示枠の一覧を作成することを特徴とする。
この構成によれば、予め作成された大きさの異なる複数の患者情報表示枠の中から適切な大きさのものを選択して一覧を作成するため、患者情報表示枠の大きさを変更制御する表示制御部への負荷を軽減できる。そして、設定された患者情報表示枠が小さくなるに従い表示する患者情報も削減されるため、表示される患者数が増大して患者情報表示枠が小さくなっても、個々の情報が確認し辛くならない。
【０００８】
請求項３の発明は、請求項１又は２に記載の構成において、患者情報表示枠には、少なくとも患者氏名、通知灯、及びベッド番号が表示されることを特徴とする。
この構成によれば、表示する患者数が増加して一人あたりの表示エリアが制限されても、個々の患者に関する最低限の患者情報は表示されるため、応答する看護師は対応し易い。
【０００９】
請求項４の発明は、ベッド毎に設置されたナースコール子機の呼出操作を受けて、ナースステーションにおいて看護師が応答するための通話部を備えたボード型ナースコール親機において、患者毎の患者情報が表示された患者情報表示枠の一覧を表示する一覧表示部を有し、患者情報表示枠は、氏名、場所や状況を把握するための情報に加えて、ナースコール子機からの呼出発生を通知するための通知灯を一体に配置して構成され、一覧表示部が、画像で各種情報を表示する第１ディスプレイであり、患者情報を記憶する患者情報記憶部と、第１ディスプレイの表示を切り替える切替操作部と、第１ディスプレイの表示を制御する表示制御部とを備え、表示制御部は、第１ディスプレイに人数を制限した所定人数の患者情報表示枠の一覧を表示し、切替操作部の操作により表示する患者情報表示枠一覧のページを切り替えることで、看護対象である患者全ての患者情報表示枠を表示できることを特徴とする。
この構成によれば、第１ディスプレイには表示人数を制限した所定人数の患者情報表示枠を表示するため、個々の患者情報の詳細を表示させることができる。そして、表示するページを切り替えることで任意の患者の患者情報を表示させることができ、患者数が増えても一覧表示部を拡張したり追加する必要がない。
【００１０】
請求項５の発明は、請求項１乃至４の何れかに記載の構成において、第１ディスプレイ上に当該第１ディスプレイの表示を変更操作する第１タッチパネルを備えると共に、病棟レイアウト上の病室毎のベッドの実際の配置を記憶した病室レイアウトを記憶するレイアウト記憶部を有し、表示制御部は、第１タッチパネルの所定の操作を受けて第１ディスプレイに病室レイアウトを表示すると共に、当該病室レイアウトの大きさに合わせて患者情報表示枠を表示して患者情報表示枠の一覧を表示させることを特徴とする。
この構成によれば、実際の病棟レイアウトに合わせて配置した病室に合わせて患者情報表示枠が表示されるため、看護師は患者の場所を把握し易い。
【００１１】
請求項６の発明は、請求項１乃至５の何れかに記載の構成において、通話部の近傍に第２ディスプレイを配置し、表示制御部は、ナースコール子機から呼出信号を受けて、呼出元の病室番号及び患者氏名、更に呼出種別情報を第２ディスプレイに表示させることを特徴とする。
この構成によれば、呼出元の情報が通話部の近くで表示されるので、看護師は応答する際に呼び出しの種類を把握できるし、患者に関する情報を見易い位置で確認でき、便利である。また、第１ディスプレイの一覧表示部に患者情報の一覧が表示されていない場合でも第２ディスプレイで確認でき、スムーズに対処できる。
尚、呼出種別とは、通常呼出、緊急呼出、トイレ／浴室呼出、センサ呼出等の種別を言う。
【００１２】
請求項７の発明は、請求項１乃至６の何れかに記載の構成において、ボード型ナースコール親機は、任意の患者情報表示枠の内部に表示される患者氏名を非表示とする患者名非表示設定部を有し、表示制御部は、一覧表示部に表示された患者情報表示枠のうち、患者名非表示設定された患者情報表示枠に対して氏名を表示しないことを特徴とする。
この構成によれば、患者名非表示設定した患者に対しては、患者情報表示枠に患者氏名が表示されないため、特別なプライバシー保護を要求する患者に対し、その要求を満たす配慮を実施できる。但し、病室番号や救護区分等の表示は継続するため、看護業務に支障を来すことがない。
【００１３】
請求項８の発明は、ベッド毎に設置されて患者が看護師を呼び出すためのナースコール子機と、ナースステーションに設置されて患者からの呼び出しに応答するためのナースコール親機とを備えたナースコールシステムにおいて、ナースコール親機が請求項１乃至７の何れかに記載のボード型ナースコール親機であると共に、ベッド上の患者を撮像するカメラを備え、ボード型ナースコール親機は、更に第１ディスプレイに映像を表示させる映像表示制御部と、カメラと患者の関係を記憶するカメラ位置情報記憶部とを有し、映像表示制御部は、第１タッチパネルの所定の操作でカメラを選択して撮像を開始させ、撮像映像を第１ディスプレイの所定の映像表示部に表示させると共に、表示制御部は関連する患者情報を合わせて映像表示部の近傍に表示させることを特徴とする。
この構成によれば、上記ボード型ナースコール親機の効果に加えて、カメラを選択して患者を撮像した映像をナースステーションにて見ることができるため、病室まで出かけて確認する必要が無くなり、看護師の負担を軽減できる。
【００１４】
請求項９の発明は、請求項８に記載の構成において、ボード型ナースコール親機は、任意の患者の撮像映像を非表示とする映像非表示設定部を有し、表示制御部は、カメラが撮像を開始した患者が映像非表示設定された患者である場合は映像表示部に映像を表示しないことを特徴とする。
この構成によれば、映像非表示設定とした患者に対しては、表示操作しても映像は表示されないため、特別なプライバシー保護を要求する患者に対し、その要求を満たす配慮を実施できる。
【発明の効果】
【００１５】
本発明のボード型ナースコール親機によれば、患者数に応じて患者情報表示枠の大きさを変更して表示するため、患者数に関わらず全患者の患者情報表示枠を第１ディスプレイに一覧表示でき、患者情報の一覧を省スペースで表示できる。よって、表示する患者数が増えても一覧表示部を拡張したり追加する必要がない。
【図面の簡単な説明】
【００１６】
【図１】本発明に係るナースコールシステムの一例を示す構成図である。
【図２】ナースコール親機のブロック図である。
【図３】一覧表示部に患者情報表示枠一覧を表示した説明図である。
【図４】図３の患者情報表示枠の拡大説明図である。
【図５】患者情報表示枠一覧を表示した一覧表示部の他の説明図である。
【図６】図５の患者情報表示枠の拡大説明図である。
【図７】病棟レイアウト上に患者情報表示枠を表示した一覧表示部の説明図である。
【図８】患者情報表示枠の他の形状を示す説明図である。
【図９】一覧表示部にホワイトボード画面を表示した表示説明図である
【図１０】呼び出し発生時の小型モニタの表示説明図である。
【図１１】一覧表示部に患者情報表示枠一覧を表示した他の説明図であり、一部の患者情報表示枠を患者氏名非表示設定とした場合を示している。
【発明を実施するための形態】
【００１７】
以下、本発明を具体化した実施の形態を、図面を参照して詳細に説明する。図１は本発明に係るナースコールシステムの一例を示す構成図であり、１はベッド毎に設置されて患者が看護師を呼び出して通話するためのナースコール子機、２は病室の出入口に設置されて患者からの呼出発生を通知するための廊下灯、３はナースステーションに設置されて呼出発生を受けて応答するためのナースコール親機、４は呼出／応答を始め機器間の通信を制御する制御機、５は患者を撮像するために個々の病室に設置されたカメラ、６は看護師が携行して呼び出しに応答するための携帯端末、７は携帯端末６との通信を管理する交換機、８は携帯端末６と通信するために、所定の間隔で複数設置された基地局である。
【００１８】
廊下灯２、ナースコール親機３、制御機４、カメラ５等はそれぞれＨＵＢ１０を介して互いにＬＡＮ接続されている。一方、ナースコール子機１は廊下灯２に伝送線Ｌ１を介して接続されているし、交換機７は制御機４に伝送線Ｌ２で接続されている。また、基地局８は交換機７に接続されている。
【００１９】
ナースコール子機１は、呼出ボタン１ａと壁面に設置されたプレート子機１ｂを有し、プレート子機１ｂは、呼出ボタン１ａの接続部及び通話部を備えている。また、廊下灯２は、呼出発生をＬＥＤ等の点灯或いは点滅で通知する表示灯２ａ、患者氏名を表示する患者表示部２ｂ等を備えている。
【００２０】
図２はナースコール親機３のブロック図を示している。図２に示すように、第１ディスプレイとしての大型モニタ３１、第２ディスプレイとしての小型モニタ３２、それぞれのモニタが表示する画像或いは映像を制御する映像処理部３３、大型モニタ３１に組み付けられて各種設定や操作を行うための第１タッチパネル３４、小型モニタ３２に組み付けられて各種設定や操作を行うためのた第２タッチパネル３５、患者情報や後述する複数種類の患者情報表示枠、各種設定情報、更には表示画像、映像を記憶する情報記憶部３６、ナースコール親機３全体を制御する親機ＣＰＵ３７、患者からの呼び出しに応答したり一斉放送するためのハンドセットを備えた通話部３８、音声信号を処理する音声処理部３９、制御機４等の他のナースコール機器とＬＡＮ接続するための通信インターフェース（通信ＩＦ）４０等を備えている。
尚、大型モニタ３１は、例えば２４型の液晶モニタが使用され、小型モニタ３２は例えば７型の液晶モニタが使用され、小型モニタ３２は通話部３８の近傍に配置されている。
【００２１】
図３は大型モニタ３１に患者情報表示枠の一覧（以下、患者情報一覧と言う）を表示した説明図である。ここでは、患者数が全体で４０名の場合の一覧表示を示している。大型モニタ３１は、このように患者情報一覧を表示する一覧表示部Ｅ１として使用される。
尚、図３において、Ｐが患者情報表示枠であり、具体的な表示は左上の１名の患者のみ記載し、便宜上他の患者情報表示枠Ｐは空白としてある（後述する図５，図７，図１１も同様である）。
また一覧表示部Ｅ１は、具体的に４０名から１２０名の患者情報一覧が表示可能に設定されており、１２０名以下の患者情報が一覧表示部Ｅ１に一括表示される。そして、患者数が４０名以下の場合は、図３に示すように２列で表示される。
【００２２】
このとき表示される患者情報表示枠Ｐの拡大図を図４に示している。図４に示すように、患者情報表示枠Ｐは、中央に患者氏名表示部Ｎが設けられ、氏名の左に担送、護送等の救護区分表示部Ｐ１、呼出発生を通知する通知灯Ｍ、病室番号表示部Ｒ１、ベッド番号表示部Ｒ２、担当看護師チーム表示部Ｒ３、氏名の右に患者の年齢や診療科目Ｐ２、担当医師名Ｐ３、担当看護師名Ｐ４等詳細情報が表示されている。
また氏名の上部には、障害情報表示部Ｐ５、患者状態・感染情報表示部Ｐ６、点滴有無の表示部Ｐ７、術後表示部Ｐ８等が設けられている。但し、病室番号表示部Ｒ１は、この表示形態では、患者情報表示枠Ｐの外側に病室毎に一括して表示している。
【００２３】
このように、患者情報が患者毎に形成された枠内に表示され、更に病室毎にまとめられて一覧で表示される。個々の患者の患者情報は情報記憶部３６に記憶され、患者情報表示枠Ｐは後述する所定の表示形態によって表示される。
尚、情報記憶部３６が記憶する患者情報の入力及び変更は、第１タッチパネル３４の操作、或いは、図示しないパーソナルコンピュータを接続して実施されるし、別途接続されているオーダリングシステム（図示せず）から送信された情報により書き換えが行われる。
【００２４】
また、図３に示すように、一覧表示部Ｅ１の周囲には第１タッチパネル３４で構成される操作部が配置されている。操作部としては、患者情報一覧の表示形態を切り替える「表示切替」ボタンＳ１、表示を選択するための一覧を表示する「一覧」ボタンＳ２、患者情報の変更や後述する非表示設定等の各種設定を行う「設定」ボタンＳ３、呼出履歴や録画履歴等の各種履歴を表示する「履歴」ボタンＳ４等が設けられている。
【００２５】
図５は患者数が６９名の場合の一覧表示部Ｅ１の表示を示している。上記４０名より患者人数が増加した場合、図５に示すように患者情報表示枠Ｐは小さくなる。
また図６は、この図５で表示している患者情報表示枠Ｐを示している。この場合、患者氏名に加えて救護区分表示部Ｐ１、通知灯Ｍ、病室番号表示部Ｒ１、ベッド番号Ｒ２、点滴情報Ｐ７、術後情報Ｐ８が表示され、上記図４の患者情報表示枠Ｐにおいて表示されている担当医師名Ｐ３、担当看護師名Ｐ４等は省略されて簡略化される。このように、患者数が多くなると患者情報表示枠Ｐは反比例して小さくなり、患者情報表示枠Ｐが小さくなれば表示される情報量も削減される。
【００２６】
情報記憶部３６には、図４、図６に示すように大きさの異なる複数種類の患者情報表示枠Ｐが記憶されており、親機ＣＰＵ３７の制御により、表示すべき患者人数に対応した患者情報表示枠Ｐが選択され、一覧表示部Ｅ１に入院患者の一覧がはみ出すことなく、また大きな余白を形成することなく表示される。但し、患者情報表示枠Ｐが小さくなっても、病室番号及び患者氏名の表示は継続され、患者数が増加して一人あたりの表示枠のエリアが制限された状態でも、個々の患者に関する最低限の患者情報は表示され、応答する看護師は表示を見てスムーズに対応することができる。
【００２７】
また、図３，図５に示すように大型モニタ３１は、一覧表示部Ｅ１の下部に各種看護情報を表示する看護情報エリアＥ２を備えている。看護情報エリアＥ２は、カメラ５の撮像映像の表示や各種設定情報の表示が成され、ここでは映像と、携帯端末番号（ハンディーナース番号）表が表示された状態を示している。この表示はメニューボタンＳ５の操作で切り替えられる。
映像の表示は、メニューボタンＳ５の所定の操作により、親機ＣＰＵ３７の制御で接続されている複数のカメラ５から選択されたカメラ５が起動し、映像表示部３１ａにカメラ５の撮像映像が表示される。そして、この表示は患者からの呼出発生に関わらず停止操作されるまで継続される。
【００２８】
このように、カメラ５を選択して患者を撮像した映像をナースステーションにて見ることができるため、病室まで出かけて確認する必要が無くなり、看護師の負担を軽減できる。
尚、ナースコール親機３は、情報記憶部３６にカメラ番号と病室番号及びベッド番号の対応テーブルの記憶部（カメラ位置情報記憶部）を有し、別途記憶しているベッド番号と患者氏名の対応テーブルの情報と合わせて、選択されたカメラ５に関連付けられている患者情報が映像近傍の所定部位に表示される。
【００２９】
次に、病棟レイアウト上に患者情報表示枠を表示した一覧表示を説明する。図７は一覧表示部Ｅ１に病棟レイアウトに合わせて病室を配置した表示を示し、病室内には患者情報表示枠Ｐが実際のベッド配置で表示されている。
具体的に、図７においてＱは病室を示し、病室Ｑ内に実際のベッド配置に合わせて患者情報表示枠Ｐが配置されている。この病棟レイアウト表示へに切り替えは、表示切替ボタンＳ１の操作で実施され、親機ＣＰＵ３７の制御により、情報記憶部３６が記憶する複数サイズの中から、病室のサイズに収まる患者情報表示枠Ｐが選択されて、実際のベッド位置に合わせて表示される。
このように、一覧表示部Ｅ１は患者情報一覧の単純な表示だけでなく、実際の病棟レイアウトに合わせて配置した病室に合わせて患者情報表示枠Ｐが表示されるため、看護師は患者の場所を把握し易い。
【００３０】
図８はこの病棟レイアウト上に個々の患者の患者情報を表示する際に使用される患者情報表示枠Ｐの具体例を示している。ここでは（ａ），（ｂ），（ｃ）の３種類を示し、順に小さくなった形態を示している。図に示すように、小さくなるに従い表示される情報量も削減される。
但し、表示するエリアが小さくなっても、患者氏名、通知灯Ｍに加えてベッド番号Ｒ２は必ず表示されるよう設定されている。
【００３１】
そして、病棟レイアウト上に患者情報表示枠Ｐを表示する場合は、病室番号が病室Ｑのレイアウト内に別途表示されるため、枠Ｐの中に病室番号表示部を持たない。また、通知灯Ｍも枠Ｐ内に形成されず、患者情報表示枠Ｐ全体を通知灯Ｍとして点滅動作させ、枠内を有効活用している。尚、これら複数種類の患者情報表示枠Ｐは、病棟レイアウト及び各病室のベッド位置と合わせて情報記憶部３６に記憶されている。
【００３２】
このように、患者数に応じて患者情報表示枠Ｐの大きさを変更して表示するため、患者数に関わらず全患者の患者情報表示枠Ｐを大型モニタ３１に一覧表示でき、患者情報の一覧を省スペースで表示できる。よって、表示する患者数が増えても一覧表示部を拡張したり追加する必要がない。
また、予め作成された大きさの異なる複数の患者情報表示枠Ｐの中から適切な大きさのものを選択して一覧を作成するため、患者情報表示枠Ｐの大きさを変更制御する親機ＣＰＵ３７への負荷を軽減できる。そして、設定された患者情報表示枠Ｐが小さくなるに従い表示する患者情報も削減されるため、表示される患者数が増大して患者情報表示枠Ｐが小さくなっても、個々の情報が確認し辛くならない。
【００３３】
図９は一覧表示部Ｅ１を患者情報の表示以外に使用する形態を示し、ホワイトボードとして使用できる画面を表示した状態を示している。
この画像も情報記憶部３６に記憶されており、ホワイトボードボタンＳ６の操作で表示される。ホワイトボードを表示させた場合、親機ＣＰＵ３７は第１タッチパネル３４をホワイトボードモードに移行させ、第１タッチパネル３４全体を能動とすることで一覧表示部Ｅ１をメモ代わりに使用することが可能となる。
尚、この時記入された情報は第１タッチパネル３４の所定の操作で記憶され、記憶した情報は更に所定の操作で看護情報エリアＥ２に表示させることが可能となっている。
【００３４】
ここで、上記の如く構成されたナースコールシステムが、ナースコール子機１により呼び出しが成された場合の動作を説明する。
呼出ボタン１ａが押下されると、廊下灯２が病室ＩＤ（病室番号）及びナースコール子機ＩＤ（ベッド番号）を付与した呼出信号をナースコール親機３及び制御機４に対して送信する。また、廊下灯２は呼出操作を受けて表示灯２ａを点灯或いは点滅等させて、呼出発生を報知する。
【００３５】
呼出信号を受けた制御機４は、呼出信号に含まれるナースコール子機ＩＤからナースコール親機３が記憶している担当看護師テーブル、患者とベッド番号の対応テーブル、看護師と携帯端末の対応テーブル等の情報を基に、ナースコール子機１に関連付けられている携帯端末６を選択して呼出発生を通知する。この呼び出しは交換機７を介して実施される。
【００３６】
一方、ナースコール親機３は、呼出信号を受けて、通話部３８から呼出報音を行う。また親機ＣＰＵ３７の制御で、呼出信号に含まれるナースコール子機ＩＤ情報から、呼出元の患者が特定され、患者情報一覧の中の特定された患者情報表示枠Ｐの中の通知灯Ｍが点滅或いは点灯動作する。また、小型モニタ３２に呼出元の患者情報が表示される。尚、このとき合わせて患者情報表示枠Ｐ自体をポップアップして拡大表示（図示せず）させても良い。
【００３７】
図１０は、呼び出しを受けて小型モニタ３２に患者情報が表示された状態を示している。小型モニタ３２は、呼び出しが発生したら呼出元の患者情報を表示する呼出元表示部Ｅ３として動作し、大小２つの表示部（大きな第１表示部Ｅ３ａ，小さな第２表示部Ｅ３ｂ）が表示され、複数の呼び出しが重なって発生している場合、２画面で患者情報が表示される。第１表示部Ｅ３ａには応答対象或いは応答中の患者情報が表示され、第２表示部Ｅ３ｂには応答待ちの患者情報が表示される。
【００３８】
呼出元表示部Ｅ３には、呼出元の患者氏名の表示に加えて、呼出種別表示部Ｐ１０、病室番号表示部Ｒ１、ベッド番号表示部Ｒ２、診療科目Ｐ２、担当医師名Ｐ３、担当看護師名Ｐ４、障害情報表示部Ｐ５、患者状態・感染情報表示部Ｐ６等が設けられ詳細情報が表示される。
尚、呼出種別とは、患者がベッド近傍の呼出ボタン１ａを使用して呼び出す一般呼出である「ナースコール」、緊急ボタン操作等による緊急呼出、トイレや浴室に設置されている呼出ボタン操作によるトイレ／浴室呼出、センサ等が異常発生を通知するセンサ呼出等の種別を言う。
【００３９】
こうした呼出動作により、呼出発生を認識した看護師がナースコール親機３で応答する場合は、小型モニタ３２に表示されている患者情報を確認しながら通話部３８のハンドセットを使用して応答することができる。
【００４０】
一方、呼び出しが通知された携帯端末６には、制御機４がナースコール親機３から入手した病室番号や患者氏名等の患者情報が合わせて送信され、呼出音報音時に携帯端末６の表示部６ａに表示される。この携帯端末６を携行している看護師により応答操作されると、ナースコール親機３での応答と同様に、応答することができる。
【００４１】
このように、呼出元の患者情報が通話部３８の近くで表示されるので、看護師は応答しながら患者に関する情報を容易に把握できる。また、大型モニタ３１に患者情報以外の情報が表示されている場合でも小型モニタ３２で確認でき、スムーズに対処できる。
【００４２】
次に、プライバシー保護機能について説明する。第１タッチパネル３４の「設定」ボタンＳ３操作により設定モードに入ることで、特定の患者に対して患者情報表示枠Ｐの中の患者氏名を非表示（患者氏名非表示設定）にし、同時に撮像映像を映像表示部Ｅ２に表示させない非表示設定（患者映像非表示設定）が可能となっている。
【００４３】
非表示設定されると、親機ＣＰＵ３７が指定された患者情報表示枠Ｐの患者氏名を非表示とする。図１１はこの状態を示し、患者情報表示枠Ｐの一覧が表示された際に、Ｐａで示す２名の患者情報表示枠Ｐが非表示設定されて、氏名が表示されない状態を示している。
また非表示設定した患者に対して、上述したようにメニューボタンＳ５の所定の操作により、親機ＣＰＵ３７の制御により接続されている複数のカメラ５から選択されたカメラ５を起動させて、映像表示部３１ａにカメラ５の撮像映像を表示させる操作をしても、映像表示部３１ａには例えば「非表示」と表示（図示せず）されて、映像は表示されない。この非表示設定は、例えば病室番号及びベッド番号を選択して非表示設定することで実施される。
【００４４】
尚、患者氏名の非表示設定と患者映像の非表示設定は、独立させて個別に設定するよう構成しても良い。また、非表示設定にしても、映像表示部３１ａに、病室番号、ベッド番号等は引き続き表示される。
【００４５】
このように、患者名非表示設定した患者に対しては、患者情報表示枠Ｐに患者氏名が表示されないため、特別なプライバシー保護を要求する患者に対し、その要求を満たす配慮を実施できる。但し、病室番号や救護区分等の表示は継続するため、看護業務に支障を来すことがない。更に、映像非表示設定とした患者に対しては、撮像表示操作しても映像は表示されないため、特別なプライバシー保護を要求する患者に対し、その要求を満たす配慮を実施できる。
【００４６】
尚、上記実施形態は、患者情報表示枠Ｐの表示を、全患者分を一括表示するよう親機ＣＰＵ３７が制御するものであるが、全患者を一括表示せずに、例えば上記図３に示すような表示形態で、例えば４０名ずつのページを作成して、所定の表示切り替え操作でページを切り替えて表示させても良い。例えば、第１タッチパネル３４の操作で表示切り替えを行うことができるし、呼び出しが発生した際には呼出元の患者情報表示枠Ｐが記載されたページに切り替わるよう親機ＣＰＵ３７に制御させれば良い。
このように表示人数を制限した所定人数の患者情報表示枠Ｐを表示しても、ページを替えることで任意の患者の患者情報を表示させることができ、全ての患者の患者情報を表示させることができる。そして、全患者を一括表示する場合と同様に患者数が増えても一覧表示部Ｅ１を拡張したり追加する必要がない。
また、ナースコール親機３が、看護師と携帯端末６の対応テーブル、ベッド番号と患者氏名の対応テーブル、担当看護師テーブル、カメラとベッド番号の対応テーブル等を記憶しているが、これらの情報は制御機４に記憶させても良い。
【符号の説明】
【００４７】
１・・ナースコール子機、３・・ナースコール親機、５・・カメラ、３１・・大型モニタ（第１ディスプレイ）、３１ａ・・映像表示部、３２・・小型モニタ（第２ディスプレイ）、３４・・第１タッチパネル（切替操作部、患者名非表示設定部、患者映像非表示設定部）、３５・・第２タッチパネル、３６・・情報記憶部（患者情報記憶部、表示枠記憶部、レイアウト記憶部、カメラ位置情報記憶部）、３７・・親機ＣＰＵ（表示制御部、映像表示制御部）、３８・・通話部、Ｅ１・・一覧表示部、Ｍ・・通知灯、Ｐ・・患者情報表示枠、Ｐ１・・救護区分表示部、Ｒ１・・病室番号表示部、Ｒ２・・ベッド番号表示部。
【図１】
2014103661.tif 000003
【図２】
2014103661.tif 000004
【図３】
2014103661.tif 000005
【図４】
2014103661.tif 000006
【図５】
2014103661.tif 000007
【図６】
2014103661.tif 000008
【図７】
2014103661.tif 000009
【図８】
2014103661.tif 000010
【図９】
2014103661.tif 000011
【図１０】
2014103661.tif 000012
【図１１】
2014103661.tif 000013